(57)【要約】  本発明は薬品ブリスター（１２）のための保護スリーブ（１０）に関連し、保護スリーブ（１０）は、  ブリスター（１２）を保持する水平な引き出し（１４）と、  内部に、閉じた状態と開いた状態との間でスライドすることができるように引き出し（１４）が取り付けられているさや型ケース（１６）と、  引き出し（１４）が閉じた状態にあるとき、引き出し（１４）をブロックし、さや型ケース（１６）をブロックする第２の横方向面に接触して配置されている、少なくとも１つの第１の横方向面（５４）を含む、閉じた状態において引き出し（１４）をロックする第１のロッキング手段（５４，５６）と、を有し、  第１のブロッキング面（５４）は、ロックする角度の位置と解放する角度の位置との間の縦軸（Ａ）に対して枢動するように取り付けられている引き出し（１４）の部分（３２）に備えられており、  ブロッキング面（５４）のうちの少なくとも１つは、もう一方のブロッキング面（５６）の後方にあるタブ（５８）の弾性のかみ合いによってロッキングがなされるように、弾性的に変形可能なロッキングタブ（５８）によって支持されていることを特徴とする。【選択図】  図６Ｃ
2010520841.tif 000002
【特許請求の範囲】
【請求項１】
薬品を包含したブリスターカード（１２）の保護ケース（１０）であって、
前記保護ケース（１０）は、
（ａ）前記ブリスターカード（１２）を支持する手段（３０，３４）を有する水平な引き出し（１４）と、
（ｂ）前記ブリスターカード（１２）に接近されない閉じた状態と、前記ブリスターカード（１２）に接近されうる開いた状態と、の間で縦方向にスライドするように、内部に前記引き出し（１４）が取り付けられているさや型ケース（１６）と、
（ｃ）閉じた状態において前記引き出し（１４）をロックする第１の手段（５４，５６）であって、前記引き出し（１４）によって支持され、前記引き出し（１４）がその開いた状態にスライドするのを防ぐように、前記引き出し（１４）が閉じた状態にあるときに前記さや型ケース（１６）を固定化する第２の横方向面（５６）に接触して配置されるように設計されている少なくとも１つの第１の横方向固定面（５４）を有する、第１の手段（５４，５６）と、
を具備し；
前記第１の固定面（５４）は、前記引き出し（１４）にある前記ブリスターカード（１２）を支持する前記手段（３０）に関して、前記引き出し（１４）が閉じた状態にあるとき、前記第１の固定面（５４）が前記第２の固定面（５６）に向かい合い、前記枢動する部分（３２）が弾性的に戻される、角度のロックされた位置と、前記引き出し（１４）がその開いた状態にスライドするのを可能にするように、前記第１の固定面（５４）が、前記第２の固定面（５６）に応じて垂直横方向の平面においてずれている、角度のアンロックされた位置と、の間で縦軸（Ａ）に関して枢動するように取り付けられている前記引き出し（１４）の部分（３２）に配置されており；
前記固定面（５４）のうちの少なくとも１つは、弾性的に変形可能なロッキングタブ（５８）によって支持されており、もう一方の固定面（５６）の後方にある前記タブ（５８）にある弾性のスナップ嵌めによってロッキングが行われ、前記引き出し（１４）の前記枢動する部分（３２）は角度のロックされた位置にあることを特徴とする保護ケース（１０）。
【請求項２】
前記引き出し（１４）の前記枢動する端部部分（３２）は、ねじれて弾性的に変形可能である中間部分（６４）によって前記ブリスターカード（１２）を支持する前記手段（３０）に接続されていることを特徴とする請求項１に記載のケース（１０）。
【請求項３】
前記中間部分（６４）はプレートを形成することを特徴とする請求項２に記載のケース（１０）。
【請求項４】
前記枢動する端部部分（３２）および前記中間ねじり部分（６４）は、前記ブリスターカード（１２）を支持する前記手段（３０）と同じ材料の１つのピースで作られていることを特徴とする請求項２または３に記載のケース（１０）。
【請求項５】
前記引き出し（１４）は、ポリプロピレンなどの硬質プラスチック材料で作られていることを特徴とする請求項４に記載のケース（１０）。
【請求項６】
前記枢動する端部（３２）は、前記引き出し（１４）の前記正面（３２）を形成することを特徴とする請求項１ないし５のいずれか１項に記載のケース（１０）。
【請求項７】
前記ロッキングタブ（５８）は、前記枢動する部分（３２）に配置されている、請求項１ないし６のいずれか１項に記載のケース（１０）。
【請求項８】
前記ケース（１０）は、前記引き出し（１４）をその閉じた状態にロックする第２の手段（７０，７３）を有する、請求項１ないし７のいずれか１項に記載のケース（１０）。
【請求項９】
前記第２のロッキング手段は、前記さや型ケース（１６）内の側面に沿って配置されている少なくとも１つのレバー（７０）を有し、
前記レバー（７０）は、前記引き出し（１４）が閉じた状態にあるときに前記レバー（７０）の自由端（７２）が前記引き出し（１４）の対応するノッチ（７３）に連結されており、前記レバー（７０）が弾性的に戻る、角度の固定位置と、前記レバー（７０）の自由端（７２）が、前記引き出し（１４）がその開いた状態にスライドするのを可能にする、前記ノッチ（７３）にもはや係合していない、解放された位置と、の間を動くことができることを特徴とする請求項８に記載のケース（１０）。
【請求項１０】
前記第２のロッキング手段は、一方の手の指と指との間で挟むことによって角度の開放された位置に同時に作動するように前記さや型ケース内に向かい合って配置されている２つのレバー（７０）を有することを特徴とする請求項９に記載のケース（１０）。
【発明の詳細な説明】
【技術分野】
【０００１】
本発明は、さや型ケースにスライドする引き出しと、閉じた状態で引き出しをロックする手段と、を有する薬品ブリスターカード(a medication blister card)のためのケースに関連する。
【０００２】
本発明は、より具体的には、薬品を含有するブリスターカードの保護ケースに関連する。
【０００３】
前記保護ケースは、
（ａ）前記ブリスターカードを支持する手段を有する水平な引き出しと、
（ｂ）前記ブリスターカードに接近されない閉じた状態と、前記ブリスターカードに接近されうる開いた状態と、の間で縦方向にスライドするように、内部に前記引き出しが取り付けられているさや型ケースと、
（ｃ）閉じた状態において前記引き出しをロックする第１の手段であって、前記引き出しによって支持され、前記引き出しがその開いた状態にスライドするのを防ぐように、前記引き出しが閉じた状態にあるときに前記さや型ケースを固定化する第２の横方向面に接触して配置されるように設計されている少なくとも１つの第１の横方向固定面を有する、第１の手段と、
を具備し；
前記第１の固定面は、前記引き出しにある前記ブリスターカードを支持する前記手段に関して、前記引き出しが閉じた状態にあるとき、前記第１の固定面が前記第２の固定面に向かい合い、前記枢動する部分が弾性的に戻される、角度のロックされた位置と、前記引き出しがその開いた状態にスライドするのを可能にするように、前記第１の固定面が、前記第２の固定面に応じて垂直横方向の平面においてずれている、角度のアンロックされた位置と、の間で縦軸に関して枢動するように取り付けられている前記引き出しの部分に配置されている。
【背景技術】
【０００４】
ある薬品は、入っている薬品に関する情報リーフレットを含むケース内にあるブリスターカードで運ばれる。
【０００５】
ブリスターカードは通常、下方へ開くハウジングの境界を定めるブリスターの形をとる空洞を有する、半硬質の水平な上板を有する。これらのハウジングは、蓋によってふさがれ、さらに各ハウジングは、蓋を引き離すことによってプリスターカードの底部の平らな表面を通って押し出されることが可能な薬品を含む。
【０００６】
このケースに含まれている薬品は、例えば子供などによって偶然摂取されてしまうと危険である。ある国々における基準は、ブリスターカードが入っているケースは、子供が薬品に接触するのを防ぐ安全装置を取り付けられることを必要としている。
【０００７】
既に知られているのは、子供がケースを開けるのを防ぐためにケースを開けるのを複雑にしている多くの手段である。
【０００８】
これらの手段の中で、ケースにロッキング手段を取り付けることは既知の方法であり、これらの手段は、アンロックされるために使用者側に器用さを必要とする。
【０００９】
特許文献ＵＳ−Ａ−４．１２０．４００は、例えば、ケースの前方の開口部を通って縦方向にスライドすることによってブリスターカードを備えるケースを説明している。ブリスターカードは、ブリスターカードの前方に配置されている２つの側面の開口部を有する。
【００１０】
ケースは、開口部と一致して配置されている関連したタブを備え付けられている。タブは、より具体的には、ケースの前方の開口部の両側に配置されている。一方のタブは上方へ延在し、もう一方のタブは下方へ延在する。
【００１１】
ブリスターカードをさや型ケースの外へスライドさせるために、使用者は、開口部からタブを取り除くようにブリスターカードをねじると同時に、ブリスターカードを縦方向に前方へスライドさせるように引かなければならない。子供にとってこの操作の組み合わせを成し遂げるのは難しい。したがって、開ける操作は安全に作られている。
【００１２】
しかしながら、ブリスターカードをケースにしまうために、使用者は、再度ねじりの動作を行わなければならなく、しまう操作を複雑にする。ある使用者は、使いやすくするためにブリスターカードをしまわなかったり、または、ただ単にブリスターカードが適切に閉じた状態にあるかを確認するのを省いたりするだろう。
【先行技術文献】
【特許文献】
【００１３】
【特許文献１】ＵＳ−Ａ−４．１２０．４００
【特許文献２】ＷＯ−Ａ−２００４／０３５４１４
【発明の概要】
【００１４】
この問題を特に解決するために、本発明は、上述したタイプの、
固定面のうちの少なくとも１つは、もう一方の固定面の後方にあるタブにある弾性のスナップ嵌めによってロッキングが行われるように、弾性的に変形可能なロッキングタブによって支持されていることを特徴とし、引き出しの枢動する部分は角度のロックされた位置にある、ケースを提案する。
【００１５】
本発明の他の特長によると、
引き出しの枢動する端面は、ねじれて弾性的に変形可能である中間部分によってブリスターカードを支持する手段に接続されており、
中間部分はプレートを形成し、
枢動する端面および中間ねじり部分は、ブリスターカードを支持する手段と同じ材料の１つのピースで作られており、
引き出しは、ポリプロピレンなどの硬質プラスチック材料で作られており、
枢動する端部は、引き出しの正面を形成し、
ロッキングタブは、枢動する部分に配置されており、
ケースは、引き出しをその閉じた状態にロックする第２の手段を有し、
第２のロッキング手段は、さや型ケース内の側面に沿って配置されている少なくとも１つのレバーを有し、前記レバーは、引き出しが閉じた状態にあるときにレバーの自由端が引き出しの対応するノッチに連結されており、レバーが弾性的に戻る、角度の固定位置と、レバーの自由端が、引き出しがその開いた状態にスライドするのを可能にする、ノッチにはもはや係合していない、解放された位置と、の間を動くことができ、
第２のロッキング手段は、一方の手の指と指との間で挟むことによって角度の開放された位置に同時に作動するようにさや型ケース内に向かい合って配置されている２つのレバーを有する。
【００１６】
他の特長および利点は、添付図面を参照して、理解するための以下の詳細な説明を読むと明らかになる。
【図面の簡単な説明】
【００１７】
【図１】本発明の教義によって作られ、ブリスターカードを支持する引き出しと、引き出しをしまうさや型ケースと、を有する保護ケースを示す全体図である。
【図２】さや型ケース内部の、閉じた状態にある引き出しを示す、図１の図の反対側の全体図である。
【図３】引き出しおよびブリスターカードを示す分解組み立て図の全体図である。
【図４】さや型ケース内部の、中間の位置にある引き出しを示す垂直縦断面図である。
【図５Ａ】ロックされた状態にある引き出しの枢動する正面を示す正面図である。
【図５Ｂ】アンロックされた状態にある引き出しの枢動する正面を示す図５Ａと同様の図である。
【図６Ａ】さや型ケース内の、開いた状態にある引き出しを示す横断面の模式的な上面図である。
【図６Ｂ】閉じた状態にスライドされているときの中間の位置にある引き出しを示す図６Ａの図と同様の図である。
【図６Ｃ】閉じた状態に到達するちょうど前の、閉じた状態にスライドしているときの引き出しを示す図６Ａの図と同様の図である。
【図６Ｄ】さや型ケース内の、閉じた状態にある引き出しを示す図６Ａの図と同様の図である。
【図７】２つのハーフシェルを有する図１のさや型ケースを示す分解組み立て図の全体図である。
【発明を実施するための形態】
【００１８】
残りの説明および請求項における限定されない方法で、縦、垂直、横の方向は、図１の三面体“Ｌ，Ｖ，Ｔ”によって示されている。
【００１９】
以下において、同一、類似または同様の部材は同一符号によって示されている。
【００２０】
図１は、薬品のブリスターカード１２を保護するケース１０を示している。
【００２１】
ケース１０は、さや型ケース１６内で縦方向にスライドするように取り付けられている水平な引き出し１４を主に有する。引き出し１４は、ブリスターカード１２を支持する水平な底部３０を有する。
【００２２】
既知の方法および図３に示されているように、ブリスターカード１２は、ブリスターが、下方へ開き底部の蓋（図示されていない）によってふさがれるハウジングの境界を定めるような形をとって、空洞１８を有する半硬質の水平な上板を有する。各ハウジングは、空洞１８を変形させることによっておよび蓋を引き離すことによってブリスターカード１２の底部の平らな表面を通って押し出されることが可能な薬品を受け入れることができる。薬品は、例えばブリスターカード１２によって保護されることが可能な丸薬、ゼラチンカプセルまたは坐薬の形でパッケージされる。
【００２３】
引き出し１４は、使用者が接触しにくいようにブリスターカード１２の空洞１８がさや型ケース１６内に収納されている後方の閉じた状態と、図１に図示されているように使用者がブリスターカード１２の空洞１８に接触しやすい前方の開いた状態と、の間でスライド可能である。
【００２４】
この場合、さや型ケース１６は、上部の水平な壁２０と、底部の水平な壁２２と、２つの側面の垂直な縦方向の端部２４と、後方の横方向の垂直な端部２６と、によって境界を定められている概して平行六面体の箱の形を持つ。さや型ケース１６の前方の端部は、スライドさせることによって引き出し１４を受け入れることが可能な前方の開口部２８を有する。
【００２５】
さや型ケース１６の横方向幅は、一方の手の親指と、もう一方の手のその他の指と、の間で使用者の手のひらにフィットするように作られているのが好ましい。特に、さや型ケース１６の操作を改善するために、この場合、側面の端部２４は、端部２４の中央において凹状であり、さらに側面の端部２４の２つの端面において凸状である、２つの曲線を示す。
【００２６】
図３に示されているように、引き出し１４は、ブリスターカード１２と、引き出し１４が閉じた状態にあるときにさや型ケース１６の開口部２８を完全に閉じることが可能である前方の正面３２と、を支持するように設計されている長方形の水平な底部３０を主に有する。
【００２７】
図３に示されている実施形態において、ケース１０は、引き出し１４内にブリスターカード１２を捕捉する装置を備えている。このような装置は、例えば、薬品が臨床試験の対象となる場合に用いられる。このような装置は、ブリスターカード１２を捕捉している間、底部３０の上面に動かないように取り付けられることを意図されているフラップ３４を有する。この装置は、特許文献ＷＯ−Ａ−２００４／０３５４１４においてより詳しく説明されているので、以下では展開されない。
【００２８】
引き出し１４の正面３２は、この場合、フラップ３４の前方の端部に取り付けられている。
【００２９】
示されていない本発明の別形態によると、引き出し１４の正面３２は、底部３０の前方の端部に取り付けられている。
【００３０】
この場合、フラップ３４は、底部３０の後方の端部にある後方の端部を介して、後方の横方向のヒンジ３６に対して枢動するように取り付けられている。
【００３１】
図２に示されているように、前方の正面３２は、２つの状態の間で引き出し１４をスライドさせるために、使用者がハンドル３８をつかむことができるようにハンドル３８を有するのが好ましい。
【００３２】
引き出し１４を容易にさや型ケース１６にスライドさせるために、底部の水平な壁２２の内面および、さや型ケース１６の上部の水平な壁２０の内面は、複数組の(pairs of)縦方向のレール４０を有しており、図６Ａないし７に示されているように、このレール４０に接触して、引き出し１４の底部３０にある平行な側面の端部が、スライドするときに滑るように設計されている。それゆえ、引き出し１４は、さや型ケース１６の湾曲した端部間で逆向きに置かれることがなく、スライドするのを防ぐ。レール４０はこの場合、さや型ケース１６の内部に向かって垂直に突出して延在している縦方向のリブによって形成されている。
【００３３】
図４に示されているように、開いた状態において引き出し１４の前方へのスライドを止めて、引き出し１４がその開いた状態に引き出されるときにさや型ケース１６から完全に出てくるのを防ぐために、さや型ケース１６はストップ４２も有する。したがって、さや型ケース１６は、後方に方向づけられてストップを形成する垂直なショルダー面４２をそれぞれ支持する複数の突起４２を有する。突起４２は、上部の壁２０および底部の壁２２の内面からさや型ケース１６の内部に向かって延在している。
【００３４】
この場合、突起４２の数は４つである。それゆえ、上部の壁２０の内面は、２つの突起４２を有し、底部の壁２２の内面は、２つの残りの突起４２を有する。より具体的には、上部の突起４２は、開口部２８に近接する底部の突起４２と垂直に向かい合って配置されている。
【００３５】
引き出し１４は、取り付けられた端部から自由端４６まで、底部３０の下方および上方に垂直に延在する橋台タング(abutment tongues)４４を有する。橋台タング４４の自由端４６は、引き出し１４がその開いた状態にあるとき、さや型ケース１６の突起４２のショルダー面に突き当たることが可能である。
【００３６】
橋台タング４４は、さや型ケース１６内に引き出し１４を設置するのをより容易にするために、折り曲げることによって弾性的に変形可能である。各タング４４は、取り付けられた端部に対して前方へ傾けられる。それゆえ、引き出し１４がさや型ケース内に設置されるとき、タング４４の本体はタング４４の表面を介して、さや型ケース１６の突起４２と接触するようになる。各タング４４は前方へ傾けられるので、関連した突起４２を通過するように、引き出し１４の底部３０の方へ折り曲げられる間、関連した突起４２上を滑る。
【００３７】
このように設置された引き出し１４がその開いた状態へスライドされるとき、タング４４はそれらの自由端４６を介して、突起４２のショルダー面と接触するようになる。タング４４は傾けられているので、各タング４４の自由端４６は突起４２のベースの方へ垂直にショルダー面４２上を滑り、それによって、ショルダー面４２および対応する壁２０，２２の内面によって形成される角にタング４４の自由端をくさびで留めるようにしてタング４４は広がり、それによって橋台における引き出し１４の固定化(immobilization)を補強する。
【００３８】
それゆえ、引き出し１４は、分離できない方法および動かない方法でさや型ケース１６に連結されるのが好ましい。したがってさや型ケース１６は、紛失されたり、他の同様のケースにあるさや型ケースと取り替えられたりしない。これは、さや型ケースがブリスターカード１２に入っている薬品の混合物に関する注意または情報に適合されるための臨床試験を実行するのに特に有用である。
【００３９】
ケース１０は、特に子供が薬品に接触するのを防ぐために、引き出し１４を閉じた状態においてロックする第１の手段も有する。
【００４０】
第１のロッキング手段は、引き出し１４によって支持されている少なくとも１つの第１の垂直横方向固定面(vertical transverse immobilization face)５４を有する。第１の垂直横方向固定面５４は前方へ方向づけられている。
【００４１】
第１のロッキング手段は、さや型ケース１６によって指示され後方へ方向づけられている少なくとも１つの第２の垂直横方向固定面５６も有する。
【００４２】
引き出し１４が閉じた状態にあるときに引き出し１４がその開いた状態にスライドするのを防ぐために、第１の固定面５４は、さや型ケース１６にある第２の関連した横方向固定面５６に接触して縦方向に押されるように設計されている。
【００４３】
この場合、引き出し１４は、２つの第１の固定面５４を有する。第１の固定面５４は、正面３２の後方横方向の垂直面から縦方向後方へ延在しているロッキングタブ５８によって支持されている。より具体的には、各ロッキングタブ５８の自由端は、第１の固定面５４を支持するヘッド６０を形成する。それゆえ、第１の固定面５４は、引き出し１４の正面３２の裏面と向き合い、さらに裏面から少し離れて、配置されている。
【００４４】
より具体的には、ロッキングタブ５８は、正面３２の裏面にある２つの横方向の端部に、実質上、引き出し１４の底部３０と同じ高さで配置されており、ヘッド６０は、互いに逆を向いて横方向に外側へ折り曲げられている。
【００４５】
さや型ケース１６は２つの第２の固定面５６を有し、これらは、それぞれ第１の固定面５４のうちの１つと関連付けられており、この場合は、側面の端部２４の内面からさや型ケース１６の内部に向かって横方向に延在しているロッキング突起６２によって支持されている。
【００４６】
引き出し１４の正面３２は、引き出し１４の底部３０に応じて、縦軸“Ａ”に対して枢動するように取り付けられている。この縦軸“Ａ”は、
図５Ａに示されているように、引き出し１４が閉じた状態にあるとき、第１の固定面５４が第２の固定面５６に向かい合っている、角度のロックされた位置(angular locked position)と、
図５Ｂに示されているように、引き出し１４がその開いた状態にスライドするのを可能にするように、第１の固定面５４が、第２の固定面５６に応じて垂直横方向の平面において完全にずれている、角度のアンロックされた位置(angular unlocked position)と、の間にある。
【００４７】
図５Ａ，５Ｂおよび６Ｂに示されているように、この場合、枢動する軸“Ａ”は、引き出し１４の底部３０と、引き出し１４の正面３２と、に対する中央線である。
【００４８】
図５Ａに示されているように、角度のロックされた位置は、正面３２の水平な位置に一致する。正面３２は、この角度のロックされた位置に弾性的に戻される。
【００４９】
したがって、引き出し１４は、縦方向の枢動する軸“Ａ”に対してねじれて弾性的に変形可能である、下文でねじり部分６４と呼ばれる中間部分６４を有する。
【００５０】
この場合、ねじり部分６４は、フラッシュフィッティング接続を介して引き出し１４の底部３０の前方の端部と機械的に接続されている後端部を有する、水平なプレートによって形成されている。ねじり部分６４は、フラッシュフィッティング接続を介して引き出し１４の正面３２の裏面と機械的に接続されている前端部も有する。
【００５１】
ねじり部分６４の横方向の幅は、底部３０の横方向の幅よりも小さく、その縦方向の長さはロッキングタブ５８の長さよりも長い。それゆえ、ロッキングタブ５８は、ヘッド６０が引き出し１４の底部３０の側面の端部に応じて横方向に突出するように、引き出し１４の底部３０の締めしろなしに(without interference)底部３０の側面の端部と一直線になって正面３２に接触して配置されているのが好ましい。それゆえ、第１の固定面５４は、レール４０と、関連した側面の端部２４と、の間で横方向に配置される。
【００５２】
この場合、ねじり部分６４は、優れた可撓性を持つプラスチック材から作られている。ねじり部分６４をねじりにおいて十分に柔軟で頑丈にするために、ねじり部分６４は、２つの縦方向の垂直なリブと、上部のリブ６６と、底部のリブ６７と、を有しており、ねじり部分６４を引き出し１４の正面３２に接続するねじり部分６４を補強する。上部のリブ６６はねじり部分６４の上面の中央から上方へ、底部のリブ６７はねじり部分６４の底面から下方へそれぞれ延在する。各リブ６６、７７は、正面３２の後方の垂直面と、ねじり部分６４の関連した表面と、の間で飛び控え壁の形をとって延在する。
【００５３】
それゆえ、ねじり部分６４は、子供が正面３２を枢動するのを思いとどまるような十分な剛性を持ちながら、大人は容易に正面３２を枢動することができるように十分に柔軟であるように設計されている。
【００５４】
引き出し１４のロッキングタブ５８は、もう一方の固定面の後方にあるロッキングタブ５８のヘッド６０にある弾性のスナップ嵌めによって引き出し１４がその閉じた状態にスライドされるとき、引き出し１４が自動的にロックされるように、屈折して(flexionally)弾性的に変形可能である。
【００５５】
このロッキング動作の間、引き出し１４の枢動する正面３２は、角度のロックされた位置にあり、その角度のアンロックされた位置に枢動される必要がない。
【００５６】
ロッキングタブ５８の自由端および／または対応するロッキング突起６２は、ロッキングタブ５８の屈曲を誘導する誘導傾斜路６８を有する。それゆえ、誘導傾斜路６８は、横の方向に対して傾けられている。
【００５７】
好ましくは、第１のロッキング手段は、第２のロッキング手段によって補助されている。
【００５８】
この場合、第２のロッキング手段は、側面の端部２４に近接してさや型ケース１６内部に配置されている通常縦方向の２つのレバー７０を有する。各レバー７０は、角度の固定位置と、角度の解放された位置と、の間に、垂直の枢動する軸“Ｂ”に対して枢動するように取り付けられている。
【００５９】
レバー７０は、さや型ケース１６の側面の端部２４の後方の凸曲線と、関連したレール４０と、の間で境界を定められている空間に配置されているので、レバー７０の様々な動きに対して十分な空間を提供する。
【００６０】
各レバー７０は、引き出し１４が閉じた状態にあり、レバー７０が角度の固定位置にあるときに、引き出し１４がその開いた状態にスライドするのを防ぐために、引き出し１４にある対応する側面の端部によって支持されている整合するノッチ７３内に連結されるように設計されている、固定端部７２を有する。
【００６１】
レバー７０は、第２の押圧端部７４も有する。この場合、枢動する軸“Ｂ”は、押圧端部７４と、固定端部７２と、の間に設置されている。それゆえ、使用者が、押圧端部７４をさや型ケース１６の内部へ横方向に押すと、レバー７０は、引き出し１４を解放してスライドさせるために、対応するノッチ７３から出るようにして、固定端部７２が外側へ横方向に移動されている解放された位置に枢動される。
【００６２】
レバー７０の押圧端部７４に接近可能にするために、さや型ケース１６の側面の端部２４は、押圧端部７４と一致するようにして配置されている接触窓７６を有する。
【００６３】
ケース１０に対する使用者の使いやすさおよび利便性を改善するために、押圧端部７４はさや型ケース１６の側面の端部２４の中央に近接して配置されている。
【００６４】
引き出し１４がその閉じた状態にスライドされるときに、第２のロッキング手段のロッキングを自動化するために、レバー７０はその角度の固定位置に弾性的に戻される。
【００６５】
したがって、軸“Ｂ”の少なくとも１つの端部７８、この場合その上端部は、図７に示されているように、軸“Ｂ”のもう一方の端部８０が下部の軸受８２内で枢動するように取り付けられている間、フラッシュフィッティング接続を介してさや型ケース１６に接続されている。軸“Ｂ”７８のフラッシュフィッティング部分は、ねじれて弾性的に変形可能である。この場合、フラッシュフィッティング部分７８は、フラッシュフィッティング部分７８の強度を弱めることなくねじり剛性を低減するために、プラスチック材で作られており、四角の水平断面を持つ。
【００６６】
さらに、引き出し１４の底部３０の後方の表面(top)８４は、引き出し１４がその閉じた状態にスライドされるときに、解放された位置においてレバー７０を備えるため、誘導面を形成するように斜面の形状(bevel-shaped)である。
【００６７】
示されていない、本発明の別形態によると、第２のロッキング手段は、引き出しの両側に横方向に配置されている２つの弾性的に変形可能な縦方向のかぎつめを有する。各かぎつめは、引き出し内にフラッシュフィッティングされている１つの端部と、１つの固定自由端(immobilization free end)と、を有する。さや型ケース１６は、引き出し１４が閉じた状態にあるときにかぎつめの固定自由端と一致して配置されている２つの窓を有するので、固定自由端は、引き出し１４がスライドするのを防ぐために、関連した窓に係合される。かぎつめの自由端は、弾性的に外側へ戻る。アンロッキングは、引き出し１４がスライドするのを可能にするために、窓を解放しながらかぎつめをさや型ケース１６の内部に押すようにして、かぎつめの自由端をそれらの弾性の戻る力(return force)に反して押すことによって成される。
【００６８】
引き出し１４をロックするための操作は、次で説明される。
【００６９】
図６Ａに示されているように、引き出し１４が開いた状態にあるとき、ねじり部分６４の弾性の戻るトルク(return torque)によって引き出し１４の正面３２はそのロックされた状態に保持されており、レバー７０はそれらの角度の固定位置において弾性的に保持されている。
【００７０】
使用者は、縦方向に後方へ引き出し１４をスライドさせるために正面３２を押し始める。その後、引き出し１４の底部３０はレール４０間をスライドする。
【００７１】
図６Ｂに示されているように、引き出し１４の後端がレバー７０の固定端部７２に到達すると、レバー７０は、引き出し１４の底部３０の側面の端部にある誘導面８４によってそれらの角度の解放された位置へ押される。
【００７２】
その後、レバー７０の固定端部７２は、底部３０の直線の側面の端部に支えられて滑るので、レバー７０は、それらの角度の解放された位置で保持される。
【００７３】
図６Ｃに示されているように、正面３２がさや型ケース１６に近接すると、ロッキングタブ５８のヘッド６０は、それらの誘導傾斜路６８によって、ロッキング突起６２と接触するようになる。縦方向のスライドを続けると、誘導傾斜路６８は、関連したロッキング突起６２を乗り越えるために、ロッキングタブ５８を互いの方向へ横方向に曲げるようにして、ロッキング突起６２を越えて滑る。
【００７４】
図６Ｄに示されているように、引き出し１４がその閉じた状態において橋台に到達すると、その後ヘッド６０はロッキング突起６２の第２の固定面５６の後方で弾性的にスナップ嵌めされる。
【００７５】
同時に、レバー７０の固定端部は、側面のノッチ７３にあるそれらの角度の固定位置に弾性的に戻る。
【００７６】
使用者は、引き出し１４をその開いた状態まで引こうとするとき、レバー７０をそれらの解放された位置に操作するために、同時に指と指との間でレバー７０の２つの押圧端部７４を挟み、さらに、ロッキング突起６２に応じてヘッド６０の垂直なずれをもたらすために、引き出し１４の正面３２をその角度のアンロックされた位置にねじる。
【００７７】
これらの力を維持しながら、使用者は、引き出し１４を前方へスライドさせるために、引き出し１４の正面３２を縦方向に引く。
【００７８】
２つのロッキング装置のうちの１つが正確に作動しない場合は、引き出し１４はその閉じた状態に保持される。本発明の好ましい実施形態によると、さや型ケース１６および引き出し１４は、ポリプロピレンなどの硬質プラスチックで成形された材料で作られている。
【００７９】
より具体的には、引き出し１４、すなわち底部３０、フラップ３４、ヒンジ、ねじり部分６４および正面３２は、単一のピースで成形されている。ねじり部分６４の弾性は、プラスチック材料の薄さによって付与される。
【００８０】
図７に示されているように、さや型ケース１６は、２つのハーフシェル、下部のシェル８６および上部のシェル８８、を成形して作られ、これらは、例えば相補的な形状の垂直な弾性の連結(elastic interlocking)によって、その後組み立てられる。
【００８１】
より具体的には、この場合、上部のハーフシェル８８は、同じ材料を用いて１つのピースで作られている上部の壁２０およびレバー７０を有する。したがって、この場合、レバー７０の上端部は、フラッシュフィッティング接続を介して上部の壁２０の内面に取り付けられている。この場合は円形断面を持つ、枢動する軸“Ｂ”の下端部は、下部のハーフシェル８６の整合する軸受８２に受け入れられるように設計されている。
【００８２】
上部のハーフシェル８８は、開口部９２を有するスカート９０も有する。スカート９０は、側面の端部２４に沿って下部のハーフシェル８６の内部に垂直に連結されるように設計されている。
【００８３】
側面の端部２４の内面は、２つのハーフシェル８６，８８を互いに動かないように取り付けるために、上部のハーフシェル８８のスカート９０の開口部９２内に弾性の連結によって受け入れられるように設計されている取り付けかぎつめ９４を有する。
【００８４】
さらに、上部のハーフシェル８８は、下部のハーフシェル８６にある管状の支柱９８に受け入れられるように設計されている位置決めピン９６を有する。
【００８５】
硬質プラスチックでケース１０を製造することによって、好ましくは衝突および衝撃に対して非常に強い保護を得ることができる。
【００８６】
さらに、ケース１０を液体物質にさらしても、厚紙で作られているケースに起こるようにケース１０を軟化させることがない。
【００８７】
このようなケース１０は特に、引き出し１４の正面３２がねじり部分６４を介して枢動することを可能にすると同時に、底部３０と、非常に硬質かつ強固なフラップ３４と、の間でブリスターカード１２を捕捉することを可能にする。
【００８８】
さや型ケース１６を形成する硬質材料は、子供がさや型ケースを傷つけることによって薬品に接触するのを防ぐための付加的な安全要素である。
【図１】
2010520841.tif 000003
【図２】
2010520841.tif 000004
【図３】
2010520841.tif 000005
【図４】
2010520841.tif 000006
【図５Ａ】
2010520841.tif 000007
【図５Ｂ】
2010520841.tif 000008
【図６Ａ】
2010520841.tif 000009
【図６Ｂ】
2010520841.tif 000010
【図６Ｃ】
2010520841.tif 000011
【図６Ｄ】
2010520841.tif 000012
【図７】
2010520841.tif 000013
【国際調査報告】
2010520841.tif 000014
2010520841.tif 000015
2010520841.tif 000016
2010520841.tif 000017